(57)【特許請求の範囲】
【請求項１】
合成樹脂製の射出成形品である把手（８）をインサート材として、ポリエチレンテレフタレート樹脂製の壜本体（１）を２軸延伸ブロー成形して、前記把手（８）を壜本体（１）に組付き固定する把手付き合成樹脂製壜体であって、
前記壜本体（１）の胴部（２）に把手組付き部分（３）を形成し、該把手組付き部分（３）を、前記胴部（２）の後部に陥没設された凹部（４）を有し、該凹部（４）の凹部底面（５）の中央部に縦突部（６）を突出設して構成し、前記把手（８）を、起立姿勢で平行に配置された一対の組付き梁片（１０）の上下端間に把手板（９）を一体設して構成し、前記把手組付き部分（３）の縦突部（６）側近の凹部底面（５）部分に直線棒状を有してインサート組付きする部分を組付き梁片（１０）の主体部（１１）とし、該主体部（１１）の上方領域よりも下方領域を延伸軸心（Ｏ）から離して位置させ、前記縦突部（６）の両側端縁に、前記組付き梁片（１０）の主体部（１１）の後端面側に回り込んで係合組付きする側縁係合条（６Ａ）を、前記主体部（１１）の高さ方向の全範囲にわたって設けると共に、該側縁係合条（６Ａ）の上側部分を横幅の大きい拡幅部分としたことを特徴とする把手付き合成樹脂製壜体。
【請求項２】
組付き梁片の主体部（１１）の上方領域よりも下方領域を延伸軸心（Ｏ）から離して位置させるべく、把手（８）を傾斜させた請求項１に記載の把手付き合成樹脂製壜体。
【発明の詳細な説明】
【技術分野】
【０００１】
本発明は、把手付き合成樹脂製壜体、特には合成樹脂製の把手をインサート材としてポリエチレンテレフタレート樹脂（以下、ＰＥＴと記す）製の壜本体を２軸延伸ブロー成形することにより、壜本体に把手を強固に組付け固定した大型の把手付き合成樹脂製壜体に関するものである。
【背景技術】
【０００２】
予め一定形状に射出成形された把手をインサート材として、ＰＥＴ製壜本体を２軸延伸ブロー成形して構成される把手付き合成樹脂製壜体が、取扱いの便利な大型壜体として知られているが、この種の把手付き合成樹脂製壜体に使用される把手としては、特許第２９９８８２０号公報に示された把手、あるいはこの把手を改良した特開２００１−３２８６３６号公報に示された把手が、壜本体と安定して強固に組付くこと、インサート材としての取扱いが容易であること等の理由によって、多数利用されている。
【０００３】
この従来技術である特開２００１−３２８６３６号公報に示された把手は、縦長板状の把手板の前方の先端面に、嵌合突片を突設すると共に、相互に対向した側面に縦条状の係合突条を設けることにより、壜本体との係合組付き機能部を形成した縦棒状の一対の組付き梁片を平行に配置し、把手板の上下端間に、両組付き梁片を、湾曲棒状の連結脚片により、それぞれ架設状に連結した構成となっている。
【０００４】
この従来技術である特許文献１に示された把手は、一対の組付き梁片が、壜本体の把手組付き部分である凹部に形成された縦突部を挟持するので、壜本体に対する把手の組付きが、安定して強固にそして確実に達成される。
【先行技術文献】
【特許文献】
【０００５】
【特許文献１】特開２００１−３２８６３６号公報
【発明の概要】
【発明が解決しようとする課題】
【０００６】
上記したような把手付き壜体は、ＰＥＴを射出成形したプリフォームをブロー成形型により壜本体にブロー成形する際に、予め射出成形により別体として成形された、たとえばポリプロピレン、ＰＥＴ等からなる把手を壜本体の胴部上部側壁面に形成される把手組付け部分の主体部分である凹部に、インサート成形を行って組付けることにより得ることができる。
【０００７】
上記インサート成形に際し、加熱により軟化したプリフォームを形成するＰＥＴを、特には把手のインサート部であり、壜本体との組付きを発揮する組付き梁片の形状に沿ってスムーズに変形させ、このインサート部の外周に沿って隙間なく回り込むようさせることにより、壜本体と把手の高い組付き強度が得られる。
【０００８】
また、プリフォームをある程度延伸した段階ではＰＥＴにはかなり高い応力が発生し、上記したスムーズな変形がし難くなるので、インサート部をプリフォームのできる限り近傍に配置して、延伸の初期段階で壜本体へのインサートを達成するようにしている。この際、インサート部の主体部は、仮想される延伸軸心と平行する直立姿勢に設定される。
【０００９】
しかしながら、近年、酒、ジュースその他の清涼飲料水等の分野では、より大型の容器へのニーズが高くなっており、数リッター程度の大型容器で、落下衝撃等の厳しい条件下においても破損することがないように、把手構造のさらなる高強度化が課題となっている。
【００１０】
一方、壜本体の容量が大きくなっても、注出性の面から、口筒部の口径を一定にする、従ってブロー成形に際してプリフォームの径も大きくすることなく一定にすることが多く、その結果、プリフォームからより離れた位置に把手のインサート部を配置することになり、インサート部外周へのＰＥＴの回り込みが不足すると云う、成形上の問題の解決も併せて課題となっている。
【００１１】
そこで本発明は、上記した従来技術における課題を解消すべく創案されたもので、把手のインサート性の向上、およびＰＥＴ製の壜本体と把手との嵌合構造による高強度化を技術的課題とし、もって容量が数リッターに達する大型の容器に対しても安全性、取扱い性に優れた、ＰＥＴ製２軸延伸ブロー成形壜体を提供することを目的とする。
【課題を解決するための手段】
【００１２】
上記技術的課題を解決するための、本発明の主たる構成は、
合成樹脂製の射出成形品である把手をインサート材として、ポリエチレンテレフタレート樹脂製の壜本体を２軸延伸ブロー成形して、把手を壜本体に組付き固定する把手付き合成樹脂製壜体であること、
壜本体の胴部に把手組付き部分を形成し、この把手組付き部分を、胴部の後部に陥没設された凹部を有し、この凹部の凹部底面の中央部に縦突部を突出設して構成すること、
把手を、起立姿勢で平行に配置された一対の組付き梁片の上下端間に把手板を一体設して構成すること、
組付き梁片の主体部を、壜本体の把手組付き部分の縦突部側近の凹部底面部分に直線棒状を有してインサート組付きする部分とすること、
この組付き梁片の主体部の上方領域よりも下方領域を、延伸軸心から離して位置させること、
壜本体の縦突部の両側側端縁に、組付け梁片の主体部の後端面側に回り込んで係合組付きする側縁係合条を、主体部の高さ方向の全範囲にわたって設けること、
この側縁係合条の上側部分を横幅の大きい拡幅部分としたこと、
にある。
なお、「主体部の上方領域および下方領域」とは、主体部の中央を境として、上側部分および下側部分を意味している。
【００１３】
把手は、その両組付き梁片の主体部で、壜本体の把手組付き部分の縦突部を両側から抱え込むようにして、インサート組付けされ、壜本体の凹部内に位置することになる。
【００１４】
壜本体の２軸延伸ブロー成形時の延伸軸心に対して、組付き梁片の主体部の上方領域よりも下方領域を離して位置させたので、（以下、図５参照）プリフォームＰのブロー成形により、わずかに拡径したプリフォーム胴部Ｐａの中央部分が、軸方向への延伸成形の途中の段階の延伸途中位置Ｎ１で、把手の組付き梁片の主体部１１（図５中に実線図示）の下方領域に接触することがなく、プリフォームＰの２軸延伸ブロー成形は、スムーズに継続される。
【００１５】
それゆえ、下側間隔Ｓ２を、延伸完了位置Ｎ２に達したところ、またはその付近で、プリフォーム胴部Ｐａが、把手の組付き梁片の主体部１１に接触するように設定することにより、プリフォームＰの軸方向への延伸成形の終了と略同時にプリフォーム胴部Ｐａを、把手の組付き梁片の主体部１１に接触させることができるので、把手組付き部分に成形されるプリフォームＰ部分を延伸による肉薄化の程度が小さい、すなわち比較的肉厚が大きい状態で接触させることができ、これにより把手組付き部分が肉付きの良い状態で成形されることになる。
【００１６】
それゆえ、縦突部の側縁係合条の上側部分に設けた拡幅部分を、賦形性を低下させることなく、充分な肉厚で成形することができる。
【００１７】
本発明の別の構成は、上記した主たる構成において、組付き梁片の主体部の上方領域よりも下方領域を、延伸軸心から離して位置させるべく把手を傾斜させた、ものである。
【００１８】
把手を傾斜させたものにあっては、「傾斜」と云うきわめて単純な構成（処理）により、主体部の上方領域よりも下方領域を延伸軸心から離して位置させることができると共に、その傾斜角度の設定に従って、主体部の下方領域の部分と延伸軸心との間隔の値を、簡単に設定することができる。
【発明の効果】
【００１９】
本発明は、上記した構成となっているので、以下に示す効果を奏する。
本発明の主たる構成にあっては、把手組付き部分の縦突部の側縁係合条の上側部分に設けた拡幅部分を、賦形性を低下させることなく、充分な肉厚で成形することができるので、この拡幅部分を、把手を壜本体にインサート組付けするのに、きわめて有効にかつ強力に作用させることができ、これにより壜本体に対する把手の組付き強度、特に内容液を収納した壜の落下による衝撃により、把手が壜本体から外れることに対する耐久強度である落下強度を、大幅に高めることができる。
【００２０】
把手を、延伸軸心に対して傾斜させたものにあっては、きわめて単純な構成（処理）により、組付き梁片の主体部の下方領域部分と延伸軸心との間隔の値を、簡単に設定することができるので、把手をインサート材とした壜本体の２軸延伸ブロー成形操作を簡単に実施することが可能となる。
【図面の簡単な説明】
【００２１】
【図１】本発明の把手付き合成樹脂製壜体の一実施例を示す、全体側面図である。
【図２】図１中、Ａ−Ａ線に沿って切断矢視した、一部除去した横断平面図である。
【図３】図１に示した実施例の把手組付き部分の、背面図である。
【図４】図１に示した実施例の把手組付き部分の、側面図である。
【図５】把手とプリフォームの軸方向への延伸成形動作時の、動作説明図である。
【発明を実施するための形態】
【００２２】
以下、本発明の一実施例を、図面を参照しながら説明する。
本実施例による壜体は、大型（４リットル）なＰＥＴ製２軸延伸ブロー成形品である壜本体１と、この壜本体１の有底円筒形状をし、上方に縮径した肩部を介して上端に口筒部７を連設した胴部２の後部に、陥没形成された凹部４を主体として構成された把手組付き部分３に、インサート成形手段により組付け固定された、ＰＥＴ製射出成形品である把手８とから構成されている。
【００２３】
この壜本体１の把手組付き部分３を構成する凹部４は、その上下両端部を除く中央部分を直立した平坦面とした凹部底面５の中央に、上下方向に沿って比較的幅広な突条状の縦突部６を、ほぼ一定した高さで、凹部４の全高さ範囲にわたって膨出状に突設して構成されている（図１および図２参照）。
【００２４】
縦突部６の両側端縁には、把手８の組付き梁片１０における主体部１１の後端面側に回り込んで成形（特に、図２参照）される側縁係合条６Ａ（図３参照）が設けられており、この側縁係合条６Ａの上側部分（図示実施例では、下側部分を除く大半部分）は、縦突部６の横幅を拡幅する、すなわち主体部１１の後端面側に対する回り込み幅を大きくした拡幅部分６ａとなっている。
【００２５】
この拡幅部分６ａは、大きな幅で主体部１１の後端面側に回り込んでインサート組付きを達成するので、強大なインサート組付き力を発揮することが可能である。
【００２６】
把手８は、縦板状の把手板９の上下両端間に、上下両端部を湾曲させた連結脚片１７を介して、一対の組付き梁片１０を平行に架設状に設け、この一対の組付き梁片１０の、直線棒状をした部分を主体部１１としており、この主体部１１は、相対向する内側面１３と先端面１２とで形成されるコーナー部近傍に、断面が略直角３角形状の嵌合突条１５を、直角を形成する一方の辺が内側面１３から略垂直に、他方の辺が組付き梁片１０の先端面１２から略垂直に突出するように突設して構成されており（図２参照）、この把手８は把手組付き部分３に対して、その組付き梁片１０の主体部１１を、壜本体１の中心軸心である延伸軸心Ｏに対して、傾斜角ｔ（図１、図４参照）だけ傾斜させて組付けられている。
【００２７】
また、嵌合突条１５の断面形状の斜辺に相当する突条先端面は緩やかな円弧状に形成し、嵌合突条１５の表面に複数の横細溝を刻設することにより、ブロー成形時における壜本体１のＰＥＴ材料の滑り性を良好にしている。
【００２８】
また、本実施例では、嵌合突条１５の主体部を二山状に形成しており、両嵌合突条１５の中間部には、組付き梁片１０の内側面１３に突出設された構成の係合突条１６が位置している（図３参照）。この嵌合突条１５の２山状の形状は、把手８の軽量化と、成形時における壜本体１のＰＥＴを、この係合突条１６部分に回り込ませることによる、さらなる組付き強度の向上を目的としたものである。なお、係合突条１６を形成しない構成でも充分な組付き強度を有するので、嵌合突条１５を２山状にするかどうかは成形性等も考慮して選択して、設計することができる。さらに、この嵌合突条１５の形状は目的に応じて、３山以上の形状とすることもできる。
【００２９】
把手８の壜本体１に対する組付きは、把手８をインサート材として、壜本体１を２軸延伸ブロー成形することにより達成されるが、ブロー成形時には、嵌合突条１５の突条先端面がプリフォームＰの外周面近傍に位置するように配置される（図２参照）。
【００３０】
２軸延伸ブロー成形時には、プリフォームＰは、まず主体部１１の嵌合突条１５の突条先端面に当接し、この突条先端面を覆い、両角部で回り込み、一方では嵌合突条１５の側面に沿って変形して内側面１３に至り、また他方では嵌合突条１５の他方の側面および先端面１２に沿って変形し外側面１４先端部に至り、壜本体１への把手８のインサートが達成されるが、嵌合突条１５の断面形状が略直角３角形であり、この嵌合突条１５の外周面沿ってＰＥＴを隙間なく回り込ませることができる。（図２参照）
【００３１】
上記のような把手８をインサートしたブロー成形により、組付き梁片１０の主体部１１の一部は壜本体１の縦突部６の両側縁の凹部底面５に陥没するようにインサートされ、把手８と壜本体１との組付き固定が確実に達成される（図２参照）。
【００３２】
また、延伸軸心Ｏに沿った軸方向への延伸成形の終了と略同時にプリフォーム胴部Ｐａが組付き梁片１０の主体部１１に接触するので、主体部１１には延伸により肉薄化の程度が小さいプリフォーム胴部Ｐａ部分、すなわち比較的肉厚が大きいプリフォーム胴部Ｐａ部分が接触することになり、これにより把手組付き部分３が肉付きの良い状態で成形されることになり、把手組付き部分３の把手８に対する組付き強度を高めることができる。
【００３３】
この際、縦突部６の両側縁係合条６Ａに成形されるＰＥＴ材料は、組付き梁片１０の主体部１１の後端面側に回り込み、特に両側縁係合条６Ａの拡幅部分６ａは充分な幅で回り込むので、組付き梁片１０の主体部１１に対して充分に強力な係合組付き力を作用させることになる。
【００３４】
図示実施例の場合、把手８の傾斜中心位置Ｔは、把手８の中央（図４参照）に位置しているので、組付き梁片１０の主体部１１は、その上方領域が延伸軸心Ｏに接近し、下方領域が延伸軸心Ｏから遠くなっている。
【００３５】
それゆえ、プリフォームＰと主体部１１との間隔の平均値は、主体部１１を傾斜変位させる以前と同じであり、これにより高い成形性が維持されている。
【００３６】
図示実施例の場合、壜本体１全体のＰＥＴの重量は１３４ｇで、把手８を傾斜させない場合の把手組付き部分３全体のＰＥＴ重量が２７ｇであったのに対して、把手８を傾斜させた場合の把手組付き部分３全体のＰＥＴ重量は、３１ｇと増加しており、把手８を傾斜させることにより、把手組付き部分３におけるＰＥＴ材料の肉付きが改善されている。
【００３７】
さらに、把手８を傾斜させないと共に、拡幅部分６ａを設けない場合に比べて、把手８を傾斜させると共に、拡幅部分６ａを設けた本発明の構成の場合、落下強度は、最低で８０ｍｍが１１０ｍｍに、最高で１１０ｍｍが１４０ｍｍに、そして平均が１０２ｍｍから１２０ｍｍに、それぞれ高められた。
【００３８】
なお、本発明の実施例として４リットルの壜体を示したが、本発明の実施はこれに限定されることはなく、他の大きさの壜体に実施することが可能であることは言うまでもなく、この場合、把手付きであることから、２リットル以上の大型壜体が適している。
【産業上の利用可能性】
【００３９】
本発明の把手付き合成樹脂製壜体は、上記したように、壜本体にインサート材として組付けられる把手の組付き強度を飛躍的に高めることができるので、別個に成形された把手をインサート材として組付ける把手付き合成樹脂製壜体として幅広い利用展開が期待される。
【符号の説明】
【００４０】
１  ；壜本体
２  ；胴部
３  ；把手組付き部分
４  ；凹部
５  ；凹部底面
６  ；縦突部
６Ａ；側縁係合条
６ａ；拡幅部分
７  ；口筒部
８  ；把手
９  ；把手板
１０；組付き梁片
１１；主体部
１２；先端面
１３；内側面
１４；外側面
１５；嵌合突条
１６；係合突条
１７；連結脚片
Ｐ  ；プリフォーム
Ｐａ；プリフォーム胴部
Ｎ１；延伸途中位置
Ｎ２；延伸完了位置
Ｓ１；上側間隔
Ｓ２；下側間隔
Ｏ  ；延伸軸心
ｔ  ；傾斜角
Ｔ  ；傾斜中心位置
【図１】
0005574232.tif 000002
【図２】
0005574232.tif 000003
【図３】
0005574232.tif 000004
【図４】
0005574232.tif 000005
【図５】
0005574232.tif 000006